(57)【要約】【課題】本発明は、リール（４）からのテープ（３）を用いて長尺の対象物（２）をテーピングするための装置（１）に関する。【解決手段】装置（１）は、回転する内側部分（６）が内部に収容された外周軸受環（５）を有している。外周軸受環（５）は切欠部（７）を、又内側部分（６）は外周面に凹部（８）を備えている。内側部分（６）はさらに、その側面の中心近くに配置され、凹部（８）の横の振り子支承（１０）に接続されたテープ受け器（９）を有している。外周軸受環（５）は、ハンドル（１１）及び／又は固定されたスタンド（１２）に選択的に接続される。
2004535997.tif 000002
【特許請求の範囲】
【請求項１】
リールからのテープを用いて長尺の対象物をテーピングするための装置であって、
前記装置（１）は、回転する内側部分（６）が内部に収容された外周軸受環（５）を有しており、前記外周軸受環（５）は切欠部（７）を、又前記内側部分（６）は外周面に凹部（８）を備えており、前記内側部分（６）はさらに、その側面の中心近くに配置され、前記凹部（８）の横の振り子支承（１０）に接続されたテープ受け器（９）を有しており、前記外周軸受環（５）がハンドル（１１）及び／又は固定されたスタンド（１２）に選択的に接続されていることを特徴とする装置。
【請求項２】
前記切欠部（７）にテープ切断機構（１４）が配置されていることを特徴とする請求項１に記載の装置。
【請求項３】
前記内側部分（６）の外周にローラーベアリング（１６）が備えられていることを特徴とする請求項１に記載の装置。
【発明の詳細な説明】
【技術分野】
【０００１】
本発明は、本願請求項１の前提部分に記載された様なテーピング装置に関する。
【背景技術】
【０００２】
電磁波による障害を受けない様保護するため（ＥＭＶ−Ｓｃｈｕｔｚ）、というよりは、機械的及び熱的ストレスから保護するため及び／又は騒音を低減するために、二輪車、乗用車、トラック、バス及び航空機の内部のワイアハーネス、並びにこれらの機械部分の一部は、長手方向周りに螺旋状に巻回されたテープによって被覆されている。このテープは、粘着性があるもののほか、そうでないものとすることも出来る。今日、この工程の大部分は何の補助も無く手作業で成し遂げられるか、或いは補助的な駆動部を有する固定式及び半固定式のテーピング装置により行なわれている。
【発明の開示】
【発明が解決しようとする課題】
【０００３】
従って本発明の課題は、動力源による駆動を行なわず簡素で人間工学的にも優れた、長尺の対象物に素早くしかも一様にむら無くテーピングを行なうことの出来る、小型且つ低コストで製造可能な装置を提供することにある。
【課題を解決するための手段】
【０００４】
この課題は、請求項１の特徴部分に記載の構成によって解決される。本発明のさらなる好ましい構成が従属クレームから明らかとなる。
【０００５】
本発明は２つの実施例に基づいて詳細に説明される。
【０００６】
図１は、リール４からのテープ３を用いて長尺の対象物２をテーピングするための装置１を示す側面図である。装置１は、回転する内側部分６が内部に収容された外周軸受環５を有している。外周軸受環５は切欠部７を、又内側部分６は外周面に凹部８を備えている。内側部分６はさらに、その側面の中心近くに配置され、凹部８の横の振り子支承１０に接続されたテープ受け器９を有している。内側部分６は、その外周に等間隔に配置されたローラーベアリング１６を備えている。このローラーベアリングは外周軸受環５の切欠部７を越えて自由に回転することが出来る様になっている。外周軸受環５は、ハンドル１１及び／又は固定されたスタンド１２に選択的に接続される。
【０００７】
図２は図１の装置１のＩＩ−ＩＩ線断面図を示しており、振り子支承１０の配置が特に良く示されている。
【０００８】
図１の装置１の平面図が図３に示されている。ここで、装置１はテーピング作業を行なう状態で示されている。
【０００９】
内側部分６には、適当な凹部８が設けられ、外周軸受環５の切欠部７を越えて入って来たワイアハーネス２が取り込まれるほか、テープ３の貼付け面の最初の部分が結合される（図４）。
【００１０】
装置１の働きは、長尺の対象物２及び／又はワイアハーネスその他の細長く延びるものの周りにリール４を案内することにある。リール４の動作は、装置１のオペレータがハンドル１１を円運動させることによって達せられる。ワイアハーネス２の外側における円運動は間断なく実施される。ハンドル１１に固定された円形の外周軸受環５が動くと、これに収容された内側部分６の低摩擦の回転が起こり、その結果、凹部８内のワイアハーネスが回転移動する（図４〜６）。
【００１１】
テーピング１３は、ワイアハーネス２のまわりで外周軸受環５が円運動することによって内側部分６が回転し、それによってリール４がワイアハーネス２のまわりで円弧を描くことで得られる様になっている。ここで、ワイアハーネス２に対するテーピング１３の最初となる部分においてテープ３がしっかりと固定されていれば、装置１の移動に伴い、テープ３がリール４から外れると同時にワイアハーネス２上に巻かれる。もしオペレータが、装置の移動と同時にケーブル２に沿ってその長手方向に移動すれば（図５及び６）、ワイアハーネス２上にテーピング１３が形成される。オペレータは、スピード及びテーピング１３のピッチを決定する。
【００１２】
皺無く巻き付けられたテーピングを、ケーブル２上にテープ３を使って実現すべく、テープ３は、振り子支承１０の働きにより傾くことが出来る様に収容されたテープ受け器９上に置かれている。テープ３がリールを外れることにより及び／又はテープ３の張力が取り去られることにより、テープ３は自動的にピッチ方向に斜めに位置する様になるので、テープの動きを所望のピッチと共に調節することが出来る。
【００１３】
テーピング処置完了後にテープ３を分離するため、外周軸受環５の外側にはテープ切断機構１４が取り付けられている（図５）。装置１を適宜動かすことにより、テーピング１３の端部におけるテープ３を、ワイアハーネス２付近にて直接、素早くかつ簡単に裂くことが出来る。同時に、テープ３は再び、次の作業を開始するための最適なスタート位置（図４）に戻ることになる。
【００１４】
装置１はモジュール構造であり、ハンドル１１、内側部分６、テープ切断機構１４及びリール４の様な個々の部品はそれぞれ必要な位置に取り付けられる。装置１は、右利きの人にも左利きの人にも広く一般的に適用可能であるのと同様、右から左へのテーピング方向、またその反対のテーピング方向に対しても広く一般的に適用可能なものとなっている。
【００１５】
第２実施例としては、テーブル１５又はこれに類するものの上のスタンド１２に固定された装置１．１が挙げられる（図８）。オペレータは、対象物２を、円運動と同時に長手方向に移動（軸方向に移動）させて行くことにより被覆を実施する。この固定された装置１．１は、例えば一定幅電気的接続部分から隔離すると言った様な特別な用途がある場合には、例えば３０〜５０ｍｍ幅のテープを、ワイアハーネス２を軸方向に移動させること無く使用することも出来る。このとき、高い耐電圧が、二乃至四重のテープ３によるテーピングによって得られる。
【００１６】
何の補助も無く手でテーピングを行なう場合に比べ、装置１，１．１のオペレータは、より人間工学に従って素早く、かつむら無くテーピングを行なうことが出来る。また、認識されている様なオペレータの職業病にも効果的に対処出来るほか、成果を向上させることが出来る。同時に、テーピング１３の表面品質が改良されるほか、オペレータにとって所望のピッチ及び／又はオーバーラップを保つことがより容易となる。
【図面の簡単な説明】
【００１７】
【図１】手持ち型装置に係る第１実施例を示す側面図である。
【図２】手持ち型装置に係る第１実施例を示す図である。
【図３】図１の装置の平面図である。
【図４】手持ち型装置に係る第１実施例を示す図である。
【図５】手持ち型装置に係る第１実施例を示す図である。
【図６】手持ち型装置に係る第１実施例を示す図である。
【図７】固定された装置に係る第２実施例を示す図である。
【図８】固定された装置に係る第２実施例を示す図である。
【符号の説明】
【００１８】
１  装置
１．１  装置
２  対象物
３  テープ
４  リール
５  外周軸受環
６  内側部分
７  切欠部
８  凹部
９  テープ受け器
１０  振り子支承
１１  ハンドル
１２  スタンド
１３  テーピング
１４  テープ切断機構
１５  テーブル
１６  ローラーベアリング
【国際公開パンフレット】
2004535997.tif 000003
2004535997.tif 000004
2004535997.tif 000005
2004535997.tif 000006
2004535997.tif 000007
2004535997.tif 000008
2004535997.tif 000009
2004535997.tif 000010
2004535997.tif 000011
2004535997.tif 000012
2004535997.tif 000013
2004535997.tif 000014
2004535997.tif 000015
2004535997.tif 000016
【国際調査報告】
2004535997.tif 000017
2004535997.tif 000018
2004535997.tif 000019
2004535997.tif 000020